(57)【要約】      （修正有）【課題】身体装着式のバッテリ装置において、汎用タイプの充電式バッテリを装着可能とし且つ開閉可能な蓋カバーを具備し、工具利用者の身体に装着したままでも新たな充電式バッテリに簡単且つ確実に取り替えれるようにする。【解決手段】工具用バッテリＢを収容するケース本体は、フック部材３７により工具利用者の身体に装着可能に構成されている。このケース本体を含むバッテリ収納ケース２２は、汎用タイプの充電式の工具用バッテリＢが装着可能に構成されている。バッテリ収納ケース２２は、ケース本体と、ケース本体に対して開閉可能に取り付けられる蓋カバー部とを具備して構成されている。係合解除操作部位７３Ｂの配設位置は、工具利用者の身体に装着した状態でケース本体に対して蓋カバー部を開けた場合に、身体に装着した状態の工具利用者にとって解除操作可能に外部に露出される位置に設定されている。【選択図】図１０
2012048885.tif 000002
【特許請求の範囲】
【請求項１】
電動工具本体に対して電力を供給する電力源であり、工具利用者の身体に装着可能に構成される身体装着式のバッテリ装置であって、
少なくとも１つの着脱可能な充電式電動工具用バッテリを収納し且つ収納された該充電式電動工具用バッテリと電気的に接続されるバッテリ収納ケースと、前記電動工具本体に装着可能に構成され且つ該電動工具本体に装着された場合にはコード部を介して該バッテリ収納ケースから電力を供給するように該電動工具本体に電気的に接続されるアダプタ部とを備え、
前記バッテリ収納ケースは、工具利用者の身体に装着可能に構成され且つ前記充電式電動工具用バッテリを収容するケース本体と、該ケース本体に対して開閉可能に取り付けられる蓋カバー部とを具備して構成されており、
前記ケース本体と該ケース本体に収容される前記充電式電動工具用バッテリとの間には、該ケース本体に収容された該充電式電動工具用バッテリの収容状態を維持するように互いに雌雄係合する係合手段が設けられており、
前記雌雄係合の係合手段は、該係合手段の雌雄係合を外すように解除操作可能な係合解除操作部位が付設されており、
該係合解除操作部位の配設位置は、工具利用者の身体に装着した状態で前記ケース本体に対して前記蓋カバー部を開けた場合に、工具利用者により解除操作可能に外部に露出される位置に設定されていることを特徴とするバッテリ装置。
【請求項２】
請求項１に記載のバッテリ装置において、
工具利用者の身体に装着した状態の前記ケース本体は、前記充電式電動工具用バッテリを上から下に向けて収容するように構成され、
前記ケース本体に対して前記蓋カバー部を開けた場合の前記係合解除操作部位は、前記ケース本体の上側位置にて外部に露出されることを特徴とするバッテリ装置。
【請求項３】
請求項１または請求項２に記載のバッテリ装置において、
前記ケース本体を形成する側壁のうち、工具利用者の身体に装着された状態の身体対向側の側壁に対して交差方向に延在する側壁には、下側に向かって抉られる形状が形成されており、
前記ケース本体に対して前記蓋カバー部を開けた場合には、前記抉られる形状により、該ケース本体に収容される前記充電式電動工具用バッテリの側面を、工具利用者の指に接触可能に外部に露出させることを特徴とするバッテリ装置。
【請求項４】
請求項１から請求項３のいずれかに記載のバッテリ装置において、
前記ケース本体に対する前記蓋カバー部の開き方向は、工具利用者の身体に装着した状態の身体から離れていく方向にて設定されていることを特徴とするバッテリ装置。
【請求項５】
請求項１から請求項４のいずれかに記載のバッテリ装置において、
前記ケース本体と前記蓋カバー部との間には、該ケース本体に対して該蓋カバー部の閉じる方向に該蓋カバー部を付勢する付勢部材が設けられていることを特徴とするバッテリ装置。
【請求項６】
請求項１から請求項５のいずれかに記載のバッテリ装置において、
前記ケース本体には、工具利用者の身体に装着させるように、工具利用者の身体側に対して引っ掛けるフック部材が、該ケース本体に対して取外し可能に設けられていることを特徴とするバッテリ装置。
【請求項７】
請求項１から請求項６のいずれかに記載のバッテリ装置において、
前記ケース本体の側壁のうち、工具利用者の身体に装着された状態の身体側の側壁は、外面が身体の胴回り方向に沿ってなす湾曲形状を有して形成されていることを特徴とするバッテリ装置。
【請求項８】
請求項１から請求項７のいずれかに記載のバッテリ装置において、
前記ケース本体には、工具利用者の腰に巻かれる腰ベルトを通すベルト通し孔が設けられていることを特徴とするバッテリ装置。
【請求項９】
請求項１から請求項８のいずれかに記載のバッテリ装置において、
前記ケース本体には、工具利用者の肩に掛けられる肩掛けベルトを繋ぐ引掛け部が設けられていることを特徴とするバッテリ装置。
【請求項１０】
請求項１から請求項９のいずれかに記載のバッテリ装置において、
前記ケース本体は、２つの前記充電式電動工具用バッテリを並列して収容できるように形成されており、これら並列して収容される前記２つの充電式電動工具用バッテリ同士の間は、少なくとも工具利用者の指が挿入できる幅を有して設定されていることを特徴とするバッテリ装置。
【請求項１１】
請求項１から請求項１０のいずれかに記載のバッテリ装置において、
前記ケース本体と前記蓋カバー部との間には、該ケース本体に対する該蓋カバー部の閉じ状態を保持するロック機構が設けられていることを特徴とするバッテリ装置。
【請求項１２】
請求項１１に記載のバッテリ装置において、
前記ロック機構は、前記ケース本体に対する前記蓋カバー部の閉じ状態を保持するロック状態と、前記ケース本体に対する前記蓋カバー部の閉じ状態の保持を解除するロック解除状態とのいずれかの状態に、工具利用者の操作によって切替可能となるように構成されていることを特徴とするバッテリ装置。
【発明の詳細な説明】
【技術分野】
【０００１】
本発明は、電動工具本体に対して電力を供給する電力源であり、工具利用者の身体に装着可能に構成される身体装着式のバッテリ装置に関する。
【背景技術】
【０００２】
近年、園芸バリカンと称されるような電動式の園芸工具が知られている。このような電動式の園芸工具は、充電式の電力源にて電力が供給されるようになっている。また、充電式の電力源としては、この電力源自体を園芸工具本体から分離してバッテリ装置として構成されるものが知られている（例えば、特許文献１参照）。このような園芸工具本体から分離して構成されるバッテリ装置は、園芸作業者（工具利用者）の身体に装着できるようになっており、園芸作業上において操作性の向上した構成となっている。
【先行技術文献】
【特許文献】
【０００３】
【特許文献１】特開平８−７８６０号公報
【発明の概要】
【発明が解決しようとする課題】
【０００４】
一方、上記した園芸工具は一般に屋外にて利用するものであり、上記したバッテリ装置には、水や塵埃が内部に浸入してしまわないように雨滴の侵入を阻止する蓋カバーを具備した構成としておきたいとの要請がある。
他方、上記したバッテリ装置にあっては、多種の電動工具にも装着できる汎用タイプの充電式バッテリ（リチウムイオンバッテリ）を装着可能とする構成としておきたいとの要請がある。すなわち、昨今の電動工具にあっては、リチウムイオンバッテリ等の汎用タイプの充電式バッテリが普及しており、このような汎用タイプの充電式バッテリを取替え可能としたバッテリ装置としておきたいとの要請がある。
このため、上記した要請に鑑み、開閉可能な蓋カバーを具備して構成され、内部に汎用タイプの充電式バッテリを装着可能とするバッテリ装置が提案されている。
【０００５】
しかしながら、上記したバッテリ装置にあっては、園芸作業をしている間に電池切れしてしまう場合がある。このような場合には、電池切れした充電式バッテリを充電完了した新たな充電式バッテリに即座に取り替えたい。つまり、園芸作業者の身体にバッテリ装置を装着したままでも、新たな充電式バッテリに簡単且つ確実に取り替えれるように、バッテリ装置を構成しておきたい。
【０００６】
本発明は、このような事情に鑑みなされたものであって、本発明が解決しようとする課題は、工具利用者の身体に装着可能に構成される身体装着式のバッテリ装置において、内部に汎用タイプの充電式バッテリを装着可能とし且つ開閉可能な蓋カバーを具備する構成としながら、工具利用者の身体に装着したままでも新たな充電式バッテリに簡単且つ確実に取り替えることができるようにすることにある。
【課題を解決するための手段】
【０００７】
上記した課題を解決するにあたって本発明に係るバッテリ装置は次の手段を採用する。
すなわち、本発明の第１の発明に係るバッテリ装置は、電動工具本体に対して電力を供給する電力源であり、工具利用者の身体に装着可能に構成される身体装着式のバッテリ装置であって、少なくとも１つの着脱可能な充電式電動工具用バッテリを収納し且つ収納された該充電式電動工具用バッテリと電気的に接続されるバッテリ収納ケースと、前記電動工具本体に装着可能に構成され且つ該電動工具本体に装着された場合にはコード部を介して該バッテリ収納ケースから電力を供給するように該電動工具本体に電気的に接続されるアダプタ部とを備え、前記バッテリ収納ケースは、工具利用者の身体に装着可能に構成され且つ前記充電式電動工具用バッテリを収容するケース本体と、該ケース本体に対して開閉可能に取り付けられる蓋カバー部とを具備して構成されており、前記ケース本体と該ケース本体に収容される前記充電式電動工具用バッテリとの間には、該ケース本体に収容された該充電式電動工具用バッテリの収容状態を維持するように互いに雌雄係合する係合手段が設けられており、前記雌雄係合の係合手段は、該係合手段の雌雄係合を外すように解除操作可能な係合解除操作部位が付設されており、該係合解除操作部位の配設位置は、工具利用者の身体に装着した状態で前記ケース本体に対して前記蓋カバー部を開けた場合に、工具利用者により解除操作可能に外部に露出される位置に設定されていることを特徴とする。
【０００８】
この第１の発明に係るバッテリ装置によれば、充電式電動工具用バッテリを収容するケース本体は、工具利用者の身体に装着可能に構成されているので、工具利用者の身体に装着可能に構成される身体装着式のバッテリ装置となっている。また、このケース本体を含むバッテリ収納ケースは、少なくとも１つの着脱可能な充電式電動工具用バッテリを収納し且つ収納された充電式電動工具用バッテリと電気的に接続されるものであるので、汎用タイプの充電式バッテリが装着可能に構成されている。ここで、バッテリ収納ケースは、ケース本体と、ケース本体に対して開閉可能に取り付けられる蓋カバー部とを具備して構成されているので、蓋カバー部により内部に雨滴が入ってしまわないように雨滴の侵入を阻止することができる。
さらに、この第１の発明に係るバッテリ装置によれば、係合解除操作部位の配設位置は、工具利用者の身体に装着した状態でケース本体に対して蓋カバー部を開けた場合に、身体に装着した状態の工具利用者にとって解除操作可能に外部に露出される位置に設定されているので、工具利用者の身体に装着させたままであっても工具利用者は係合解除操作部位を解除操作することができる。これによって、係合解除操作部位を解除操作することにより雌雄係合の係合手段の係合を解除し、電池切れした充電式電動工具用バッテリを取外し、新たな充電完了した充電式電動工具用バッテリに交換することができる。つまり、新たな充電式電動工具用バッテリに簡単且つ確実に取り替えることができる。
【０００９】
第２の発明に係るバッテリ装置は、前記第１の発明に係るバッテリ装置において、工具利用者の身体に装着した状態の前記ケース本体は、前記充電式電動工具用バッテリを上から下に向けて収容するように構成され、前記ケース本体に対して前記蓋カバー部を開けた場合の前記係合解除操作部位は、前記ケース本体の上側位置にて外部に露出されることを特徴とする。
この第２の発明に係るバッテリ装置によれば、充電式電動工具用バッテリをケース本体に収容するにあたって、重力方向となる上から下に向けて収容することができるので、充電式電動工具用バッテリの自重を利用してケース本体に収容し易いものとなる。また、ケース本体に対して蓋カバー部を開けた場合には、係合解除操作部位はケース本体の工具利用者にとって解除操作のし易い上側位置に位置して外部に露出されるので、工具利用者にとって解除操作のし易いものとなる。これによって、バッテリを収容し易く、ケース本体に対して蓋カバー部を開けた場合の係合解除操作部位の解除操作性も向上させることができる。
【００１０】
第３の発明に係るバッテリ装置は、前記第１または前記第２の発明に係るバッテリ装置において、前記ケース本体を形成する側壁のうち、工具利用者の身体に装着された状態の身体対向側の側壁に対して交差方向に延在する側壁には、下側に向かって抉られる形状が形成されており、前記ケース本体に対して前記蓋カバー部を開けた場合には、前記抉られる形状により、該ケース本体に収容される前記充電式電動工具用バッテリの側面を、工具利用者の指に接触可能に外部に露出させることを特徴とする。
この第３の発明に係るバッテリ装置によれば、ケース本体に対して蓋カバー部を開けた場合には、この抉られる形状により、収容される充電式電動工具用バッテリの側面を工具利用者の指に接触可能に外部に露出させるので、充電式電動工具用バッテリの外部側の側面を指に接触把持することができる。これによって、ケース本体に対して蓋カバー部を開けてバッテリを取り替えるにあたり、充電式電動工具用バッテリの外部側の側面を指に接触把持してケース本体外に旧バッテリを取り出し易くすることができる。
【００１１】
第４の発明に係るバッテリ装置は、前記第１から前記第３の発明のいずれかに係るバッテリ装置において、前記ケース本体に対する前記蓋カバー部の開き方向は、工具利用者の身体に装着した状態の身体から離れていく方向にて設定されていることを特徴とする。
この第４の発明に係るバッテリ装置によれば、ケース本体に対する蓋カバー部の開き方向は、工具利用者の身体に装着した状態の身体から離れていく方向にて設定されているので、工具利用者の身体と干渉されることなく、蓋カバー部をケース本体に対して開けることができる。これによって、ケース本体に対して蓋カバー部を開けた場合には、蓋カバー部を十分に開けることができて、より簡単且つ確実に新たなバッテリに取り替えることができる。なお、上記した第３の発明に係るバッテリ装置のようにケース本体の側壁に下側に向かって抉られる形状を形成した場合には、ケース本体の抉られる形状に対応して設計される蓋カバー部は、工具利用者の身体と干渉する問題が顕著となるので、この第４の発明に係るバッテリ装置の構成がより有効的なものとなる。
【００１２】
第５の発明に係るバッテリ装置は、前記第１から前記第４の発明のいずれかに係るバッテリ装置において、前記ケース本体と前記蓋カバー部との間には、該ケース本体に対して該蓋カバー部の閉じる方向に該蓋カバー部を付勢する付勢部材が設けられていることを特徴とする。
この第５の発明に係るバッテリ装置によれば、ケース本体と蓋カバー部との間にはケース本体に対して蓋カバー部の閉じる方向に蓋カバー部を付勢する付勢部材が設けられているので、工具利用者が蓋カバー部から手を離した場合には、自動的にケース本体に対して蓋カバー部を閉じることができる。これによって、蓋カバー部を閉じ状態に維持することができて、雨滴の侵入の阻止をより確実なものとすることができる。
【００１３】
第６の発明に係るバッテリ装置は、前記第１から前記第５の発明のいずれかに係るバッテリ装置において、前記ケース本体には、工具利用者の身体に装着させるように、工具利用者の身体側に対して引っ掛けるフック部材が、該ケース本体に対して取外し可能に設けられていることを特徴とする。
この第６の発明に係るバッテリ装置によれば、ケース本体には、工具利用者の身体に装着させるように工具利用者の身体側に対して引っ掛けるフック部材が設けられているので、工具利用者の身体側にフック部材を引っ掛けるだけで簡単に工具利用者の身体に装着させることができる。また、このフック部材は、ケース本体に対して取外し可能に設けられているので、例えばバッテリ装置を肩掛けベルトにより吊るして使用する場合、不要となるフック部材を取り外して使用することができる。これによって、肩掛けベルトによって吊るす場合に、不要なフック部材を取り外して身体への装着感を向上させることができる。
【００１４】
第７の発明に係るバッテリ装置は、前記第１から前記第６の発明のいずれかに係るバッテリ装置において、前記ケース本体の側壁のうち、工具利用者の身体に装着された状態の身体側の側壁は、外面が身体の胴回り方向に沿ってなす湾曲形状を有して形成されていることを特徴とする。
この第７の発明に係るバッテリ装置によれば、工具利用者の身体に装着された状態の身体側の側壁は、外面が身体の胴回り方向に沿ってなす湾曲形状を有して形成されているので、バッテリ装置を胴回り位置に位置させた場合に胴回りに対して当たる接触面積を、湾曲形状により広くすることができる。これによって、当たり面の拡大化により当たり圧力を分散して、身体に装着した際の感触を柔らかいものとすることができる。
【００１５】
第８の発明に係るバッテリ装置は、前記第１から前記第７の発明のいずれかに係るバッテリ装置において、前記ケース本体には、工具利用者の腰に巻かれる腰ベルトを通すベルト通し孔が設けられていることを特徴とする。
この第８の発明に係るバッテリ装置によれば、ケース本体には工具利用者の腰に巻かれる腰ベルトを通すベルト通し孔が設けられているので、ベルト通し孔に通された腰ベルトを工具利用者の腰に巻くことにより、工具利用者の身体に装着させることができる。これによって、工具利用者の身体に装着させるにあたって、腰に巻きたい工具利用者のニーズに対応したものとできる。
【００１６】
第９の発明に係るバッテリ装置は、前記第１から前記第８の発明のいずれかに係るバッテリ装置において、前記ケース本体には、工具利用者の肩に掛けられる肩掛けベルトを繋ぐ引掛け部が設けられていることを特徴とする。
この第９の発明に係るバッテリ装置によれば、ケース本体には工具利用者の肩に掛けられる肩掛けベルトを繋ぐ引掛け部が設けられているので、引掛け部に繋げられた肩掛けベルトを工具利用者の肩に掛けることにより、工具利用者の身体に装着させることができる。これによって、工具利用者の身体に装着させるにあたって、肩にかけたい工具利用者のニーズに対応したものとできる。
【００１７】
第１０の発明に係るバッテリ装置は、前記第１から前記第９の発明のいずれかに係るバッテリ装置において、前記ケース本体は、２つの前記充電式電動工具用バッテリを並列して収容できるように形成されており、これら並列して収容される前記２つの充電式電動工具用バッテリ同士の間は、少なくとも工具利用者の指が挿入できる幅を有して設定されていることを特徴とする。
この第１０の発明に係るバッテリ装置によれば、ケース本体に並列して収容される２つの充電式電動工具用バッテリ同士の間は、少なくとも工具利用者の指が挿入できる幅を有して設定されているので、充電式電動工具用バッテリを取り出す際に、充電式電動工具用バッテリの内部側の側面を指に接触把持することができることとなる。これによって、ケース本体に対して蓋カバー部を開けてバッテリを取り替えるにあたり、内部側の側面を指に接触把持しケース本体外に旧バッテリを取り出し易くすることができる。
【００１８】
第１１の発明に係るバッテリ装置は、前記第１から前記第１０の発明のいずれかに係るバッテリ装置において、前記ケース本体と前記蓋カバー部との間には、該ケース本体に対する該蓋カバー部の閉じ状態を保持するロック機構が設けられていることを特徴とする。
この第１１の発明に係るバッテリ装置によれば、ロック機構によりケース本体に対する蓋カバー部の閉じ状態を保持することができる。これによって、ケース本体に対する蓋カバー部の閉じ状態を強固なものとすることができる。
【００１９】
第１２の発明に係るバッテリ装置は、前記第１１の発明に係るバッテリ装置において、前記ロック機構は、前記ケース本体に対する前記蓋カバー部の閉じ状態を保持するロック状態と、前記ケース本体に対する前記蓋カバー部の閉じ状態の保持を解除するロック解除状態とのいずれかの状態に、工具利用者の操作によって切替可能となるように構成されていることを特徴とする。
この第１２の発明に係るバッテリ装置によれば、ロック機構は、閉じ状態を保持するロック状態と、閉じ状態の保持を解除するロック解除状態とのいずれかの状態に、工具利用者の操作によって切替可能となるように構成されているので、蓋カバー部の閉じ状態の保持および保持解除を工具利用者の任意で選択することができる。これによって、蓋カバー部の閉じ状態を保持あるいは保持解除のいずれかで選択することができて、工具利用者にとって使い易いものとなる。
【発明の効果】
【００２０】
第１の発明に係るバッテリ装置によれば、工具利用者の身体に装着可能に構成される身体装着式のバッテリ装置であり、内部に汎用タイプの充電式バッテリを装着可能とし且つ開閉可能な蓋カバーを具備する構成としながら、工具利用者の身体に装着したままでも新たな充電式バッテリに簡単且つ確実に取り替えることができる。
第２の発明に係るバッテリ装置によれば、バッテリを収容し易く、ケース本体に対して蓋カバー部を開けた場合の係合解除操作部位の解除操作性も向上させることができる。
第３の発明に係るバッテリ装置によれば、ケース本体に対して蓋カバー部を開けてバッテリを取り替えるにあたり、充電式電動工具用バッテリの外部側の側面を指に接触把持してケース本体外に旧バッテリを取り出し易くすることができる。
第４の発明に係るバッテリ装置によれば、ケース本体に対して蓋カバー部を開けた場合には、蓋カバー部を十分に開けることができて、より簡単且つ確実に新たな充電式バッテリに取り替えることができる。
第５の発明に係るバッテリ装置によれば、蓋カバー部を閉じ状態に維持することができて、雨滴の侵入の阻止をより確実なものとすることができる。
第６の発明に係るバッテリ装置によれば、引っ掛けるだけで簡単に工具利用者の身体に装着させることができつつ、肩掛けベルトによって吊るす場合に不要なフック部材を取り外して身体への装着感を向上させることができる。
第７の発明に係るバッテリ装置によれば、当たり面の拡大化により当たり圧力を分散して、身体に装着した際の感触を柔らかいものとすることができる。
第８の発明に係るバッテリ装置によれば、工具利用者の身体に装着させるにあたって、腰に巻きたい工具利用者のニーズに対応したものとできる。
第９の発明に係るバッテリ装置によれば、工具利用者の身体に装着させるにあたって、肩にかけたい工具利用者のニーズに対応したものとできる。
第１０の発明に係るバッテリ装置によれば、ケース本体に対して蓋カバー部を開けてバッテリを取り替えるにあたり、内部側の側面を指に接触把持しケース本体外に旧バッテリを取り出し易くすることができる。
第１１の発明に係るバッテリ装置によれば、ケース本体に対する蓋カバー部の閉じ状態を強固なものとすることができる。
第１２の発明に係るバッテリ装置によれば、蓋カバー部の閉じ状態を保持あるいは保持解除のいずれかで選択することができて、工具利用者にとって使い易いものとなる。
【図面の簡単な説明】
【００２１】
【図１】バッテリ装置を装備した園芸工具の使用例を示す図である。
【図２】バッテリ装置を装備した園芸工具を示す斜視図である。
【図３】アダプタ部の接続側の側面を視た側面図である。
【図４】図３のＩＶ−ＩＶ断面矢視を示すアダプタ部の断面図である。
【図５】図４のＶ−Ｖ断面矢視を示すアダプタ部の断面図である。
【図６】バッテリ収納ケースのうち身体側の側面を視た側面図である。
【図７】バッテリ収納ケースのうち上面側の側面を視た上面図である。
【図８】バッテリ収納ケースのうち身体側とは交差する側面を視た側面図である。
【図９】図６のＩＸ−ＩＸ断面矢視を示すバッテリ収納ケースの断面図である。
【図１０】図６のＸ−Ｘ断面矢視を示すバッテリ収納ケースの断面図である。
【図１１】ケース本体に蓋カバー部をヒンジ結合させた外観を示す側面図である。
【図１２】図１１のＸＩＩ−ＸＩＩ断面矢視を示すヒンジ結合部分の断面図である。
【図１３】ロック状態となっているロック機構の断面図である。
【図１４】ロック解除状態となっているロック機構の断面図である。
【発明を実施するための形態】
【００２２】
以下、本発明に係るバッテリ装置を実施するための実施の形態について図面を参照しながら説明する。
図１は、バッテリ装置２０を装備した園芸工具１０の使用例を示す図である。図２は、バッテリ装置２０を装備した園芸工具１０を示す斜視図である。
図１および図２に示す園芸工具１０は、庭木をトリミングする際に用いられる電動工具であり、一般的に生垣バリカンと称されるものである。この園芸工具１０は、電動工具本体としての園芸工具本体１１と、この園芸工具本体１１（電動工具本体）に対して電力を供給する電力源としてのバッテリ装置２０とを備える。
図１および図２に示すように、園芸工具本体１１は、後端側にはグリップ部１３が設けられており、前端側にはブレード部１５が設けられている。グリップ部１３は、工具利用者により手握りされる部分である。ブレード部１５は、生垣を刈る際の刃具であり、グリップ部１３側に内蔵される不図示の駆動機構により駆動する。なお、このグリップ部１３の裏面側には、汎用タイプの充電式バッテリを装着可能とするバッテリ装着部１７が設けられている。なお、バッテリ装着部１７は、特に図示していないが、後に説明するアダプタ部６０の雄フック機構７０を雌雄係合させるための適宜の雌フック機構が設けられている。また、バッテリ装着部１７には、後に説明するアダプタ部６０の端子部６７と電気的に接続される不図示の接続用端子が設けられている。つまり、バッテリ装着部１７にアダプタ部６０を装着することにより、バッテリ装置２０が装備された園芸工具１０となる。
このようにバッテリ装置２０が装備された園芸工具１０は、図１に示すように、バッテリ装置２０を工具利用者Ｐの身体に装着させて、園芸工具本体１１のグリップ部１３を手握りしてブレード部１５にて生垣を刈る。
なお、園芸工具本体１１のバッテリ装着部１７は、後に詳述するが、いわゆる汎用タイプの充電式電動工具用バッテリＢ（以下、単に『工具用バッテリＢ』）を装着可能に構成される。なお、この工具用バッテリＢは、広く諸種の方面で用いられるリチウムイオンバッテリであり、後に説明するバッテリ装置２０のアダプタ部６０と略同一に構成される。
【００２３】
次に、上記した園芸工具本体１１の電力源となるバッテリ装置２０について説明する。
図１に示すように、バッテリ装置２０は、工具利用者Ｐの身体に装着可能に構成される身体装着式のバッテリ装置である。また、図２に示すように、バッテリ装置２０は、概略、バッテリ装置本体２１と、アダプタ部６０と、これらバッテリ装置本体２１とアダプタ部６０とを電気的に接続するコード部８０とを備える。
ここでバッテリ装置本体２１を説明する前に、先ず、アダプタ部６０について説明する。このアダプタ部６０は、後に説明するバッテリ装置本体２１に収納される工具用バッテリＢと略同一に構成されるものである。図３は、アダプタ部６０を電気的に接続するための接続側の側面を視た側面図である。図４は、図３のＩＶ−ＩＶ断面矢視を示すアダプタ部６０の断面図である。図５は、図４のＶ−Ｖ断面矢視を示すアダプタ部６０の断面図である。なお、図３に示す紙面手前側、図４に示す図示左側、図４に示す図示上側は、園芸工具本体１１のバッテリ装着部１７と対面するアダプタ部６０の端子部６７配設側となっている。
このアダプタ部６０は、リチウムイオンバッテリとなる汎用タイプの工具用バッテリＢを模して構成され、園芸工具本体１１に装着可能に構成されるものである。つまり、アダプタ部６０は、園芸工具本体１１に装着された場合にはコード部８０を介してバッテリ装置本体２１から電力を供給するように園芸工具本体１１に電気的に接続されるものとなっている。
【００２４】
アダプタ部６０は、図３に示すように、概略、ハウジング６１と、コード連結部６５と、端子部６７とを備える。ハウジング６１は、図３および図４に示すように、汎用タイプの工具用バッテリＢの形状を模して形成される。このため図４に示すように、ハウジング６１には電池セルが内蔵されておらず、略空洞化した構造にて形成されている。つまり、アダプタ部６０は、コード連結部６５にて連結されるコード部８０から電力が供給されるようになっている。なお、このコード部８０から供給される電力は、ハウジング６１の内部に装置される適宜の電子基板を介して端子部６７に接続されている。端子部６７は、園芸工具本体１１のバッテリ装着部１７に設けられる不図示の接続用端子と電気的に接続される部分である。つまり、この端子部６７から、コード部８０から供給される電力を園芸工具本体１１に供給している。また、コード部８０は、一般的に広く利用される電気コードと同様に構成されるものである。
また、このアダプタ部６０には、汎用タイプの工具用バッテリＢと同様、雌雄係合するための係合手段としての雄フック機構７０が設けられている。この雄フック機構７０は、図４および図５に示すように、概略、雄フック部材７１と、付勢ばね７８とを備えて構成される。雄フック部材７１は、図４および図５に示すように、適宜の湾曲形状を有した樹脂成形による一体化成形品である。この雄フック部材７１は、概略、雄フック部７２と、係合解除操作部位７３と、付勢用脚部７４とを備える。
【００２５】
雄フック部７２は、図４に示すように、雄フック部材７１の上側端部分を構成するものであり、広く知られるフック形状にて形成されている。この雄フック部７２は、アダプタ部６０の端子部６７配設側となるアダプタ部６０のハウジング６１から上側に突き出すように設けられている。具体的には、図３および図５に示すように、ハウジング６１の上面側には内外連通する外部露出孔６２が設けられている。雄フック部材７１の雄フック部７２は、この外部露出孔６２から外部に突き出すように挿通されている。このように外部に突き出した雄フック部７２は、園芸工具本体１１のバッテリ装着部１７に対して雌雄係合をなす。なお、この雄フック部７２の後側には、このアダプタ部６０の前後方向に対して直交方向に延在する直立ストッパ部７２１が形成されいる。また、この雄フック部７２の前側には、前側から後側に向かうにしたがって突出し方向で傾斜する傾斜ガイド部７２２が形成されている。
【００２６】
係合解除操作部位７３は、図３および図４に示すように、雄フック部材７１の中間部分を構成するものであり、雄フック機構７０に付設されるものである。この係合解除操作部位７３は、上記した雄フック部７２の突出方向と交差する側となる、アダプタ部６０の後面側から外部に露出するように設けられている。具体的には、図３および図４に示すように、ハウジング６１の後面側には内外連通する外部露出孔６３が設けられている。雄フック部材７１の係合解除操作部位７３は、このように設けられた外部露出孔６３から外部に露出されるようになっている。外部露出孔６３から外部に露出する係合解除操作部位７３は、解除操作可能に工具利用者Ｐの指を引っ掛けることができるようになっている。つまり、この工具用バッテリＢの雄フック機構７０は、上記した園芸工具本体１１のバッテリ装着部１７に設けられる雌フック機構（不図示）に対して雌雄係合をなすものとなっている。
なお、係合解除操作部位７３の解除操作方向は、アダプタ部６０の下側（図４に示す図示右側）に向かう方向に設定されている。すなわち、係合解除操作部位７３により後述する付勢ばね７８の付勢に抗した解除操作を行うと、外部露出孔６２から外部に突き出していた雄フック部７２の突き出しは突出量が小さくなる退避された状態となる。このように、雄フック部７２が退避した状態となると、上記した園芸工具本体１１のバッテリ装着部１７に設けられる雌フック機構（不図示）に対しての雌雄係合は外れるものとなる。つまり、係合解除操作部位７３は、雌雄係合を解除操作可能とする部位として設定されており、この係合解除操作部位７３を解除操作することにより雌フック機構（不図示）に対する雄フック機構７０の雌雄係合を解除することができる。
付勢用脚部７４は、図３および図４に示すように、雄フック部材７１の下側部分を構成するものである。この付勢用脚部７４は、雄フック部材７１の突出退避する動きをガイドするとともに、次に説明する付勢ばね７８に対して当接して付勢ばね７８から付勢力を受ける。このため図３および図４に示すように、付勢用脚部７４は、ガイド可能に適宜の脚の長さを有した２脚にて形成されているとともに、端部形状が付勢ばね７８からの付勢力を受けるために張り出した形状にて形成されている。
付勢ばね７８は、上記した付勢用脚部７４に当接して雄フック部材７１を上側に向けて付勢するものである。具体的には、この付勢ばね７８は、コイルばねで構成されるものであり、一端がハウジング６１に当接され、他端が付勢用脚部７４に当接され、もって雄フック部７２が上側に向けて突出するように雄フック部材７１を上側に向けて付勢している。つまり、上記した係合解除操作部位７３に指を引っ掛けて行う解除操作は、付勢ばね７８の付勢力に抗した操作となる。
【００２７】
次に、バッテリ装置本体２１について説明する。
図６は、バッテリ収納ケース２２のうち身体側の側面を視た側面図である。図７は、バッテリ収納ケース２２のうち上面側の側面を視た上面図である。図８は、バッテリ収納ケース２２のうち身体側とは交差する側面を視た側面図である。図９は、図６のＩＸ−ＩＸ断面矢視を示すバッテリ収納ケースの断面図である。図１０は、図６のＸ−Ｘ断面矢視を示すバッテリ収納ケースの断面図である。なお、図６〜図１０に記載の図示の方向は、図１に示すようにベルトＳを用いて工具利用者Ｐが身体に装着した状態の方向である。つまり、図示の装着側とは工具利用者Ｐが位置する側に規定されており、図示の外側とは工具利用者Ｐが位置する側とは反対側に規定されている。
バッテリ装置本体２１は、工具用バッテリＢを収納可能に形成されたバッテリ収納ケース２２を備える。すなわち、バッテリ収納ケース２２は、図１に示すように工具利用者Ｐの身体に装着可能に構成されるものであり、図７における鎖線にて示すように２つの着脱可能な汎用タイプの工具用バッテリＢを電気的に接続可能に収納できるように構成される。バッテリ収納ケース２２は、概略、工具用バッテリＢを収容するケース本体３０と、ケース本体３０に対して開閉可能に取り付けられる蓋カバー部４５とを具備して構成される。以下、これらのケース本体３０および蓋カバー部４５について詳細に説明する。
なお、以下に説明する工具用バッテリＢは、アダプタ部６０と比較して電力供給に関する構成のみが相違する構成となっており、その他に関する構成は略同一に構成されるものとなっている。つまり、図１０に示す工具用バッテリＢは、図４に示すアダプタ部６０に対して、ハウジング６１に対してコード部８０を無くして、ハウジング６１の内部に電池セル（図示符号Ｃ）が装置されている。このため、以下における工具用バッテリＢに関する説明は、図３〜図５の括弧書きで示すように、アダプタ部６０の符号末尾に『Ｂ』を付してアダプタ部６０の構成を流用して、工具用バッテリＢの単独の説明については省略するものとする。
【００２８】
ケース本体３０について説明する。
ケース本体３０は、図８に示すように、上部が開口された箱形状にて形成されており、２つの汎用タイプの工具用バッテリＢを並列して収容できるように形成されている。具体的には、ケース本体３０の内部は、図９に示すように、２つの工具用バッテリＢを並列して収容できるように、バッテリ収容スペース３１が形成されている。このバッテリ収容スペース３１に対しては、２つの工具用バッテリＢの収容方向は上から下に向けた方向になっており、並列して収容することができるようになっている。なお、図７における鎖線にて示すように２つの工具用バッテリＢを収容した場合には、この並列して収容される２つの工具用バッテリＢ同士の間には、少なくとも工具利用者の指が挿入可能な隙間幅Ｄが設けられるようになっている。ここでバッテリ収容スペース３１に対して工具用バッテリＢを収容するにあたっては、工具用バッテリＢの図４に示す図示左側部分がケース本体３０の装着側壁面３０１側に向くように、且つ工具用バッテリＢの図４に示す図示上側部分がケース本体３０の底側壁面３０５側に向くように、工具用バッテリＢはバッテリ収容スペース３１に収容されるようになっている。つまり、工具用バッテリＢの雄フック機構７０Ｂは、ケース本体３０の装着側壁面３０１の上側部分に近接して、バッテリ収容スペース３１に工具用バッテリＢを収容する。このため、工具利用者Ｐの身体に装着した状態でケース本体３０に対して蓋カバー部４５を開けた場合には、バッテリ収容スペース３１に収容された工具用バッテリＢの雄フック機構７０Ｂの係合解除操作部位７３Ｂは、ケース本体３０の上側位置にて外部に露出される。これにより、身体に装着した状態の工具利用者Ｐは、この外部に露出された係合解除操作部位７３Ｂを解除操作することができる。
なお、上記したケース本体３０を形成する側壁のうち、装着側壁面３０１を有する側壁は装着側壁３５１として設定されており、この装着側壁３５１と対向配置される側壁は外側壁３５２として設定されており、これら装着側壁３５１および外側壁３５２に対して交差方向に延在する側壁は、左側壁３５３および右側壁３５４として設定されている。また、ケース本体３０の底部分を形成する側壁は、底側壁３５５として設定されている。
【００２９】
ところで、図１０に示すように、バッテリ収容スペース３１を形成するケース本体３０には、園芸工具本体１１のバッテリ装着部１７（図２等参照）に設けられる雌フック機構（不図示）と同様の雌フック機構３３が設けられている。この雌フック機構３３は、バッテリ収容スペース３１に収容された工具用バッテリＢの雄フック機構７０Ｂと雌雄係合するものである。具体的には、図１０に示すように、雌フック機構３３は、上記した雄フック部材７１の雄フック部７２が嵌合される雌フック部３４が形成されている。この雌フック部３４には、上記した工具用バッテリＢの雄フック機構７０Ｂの雄フック部７２Ｂが嵌合する部分に設定されている。具体的には、この雌フック部３４の上側部分は、雄フック部７２Ｂの直立ストッパ部７２１Ｂが当接するストッパ部３４１として形成されている。このストッパ部３４１に雄フック部７２Ｂの直立ストッパ部７２１Ｂが当接することにより、雄フック部材７１Ｂを含む工具用バッテリＢのバッテリ収容スペース３１に対する相対移動を規制することができるようになっている。
なお、上記した係合解除操作部位７３Ｂにより付勢ばね７８Ｂの付勢に抗して図示矢印方向の解除操作を行うと、外部露出孔６２Ｂから外部に突き出していた雄フック部７２Ｂの突き出しは、突出量が小さくなる退避された状態となる。そうすると、雌フック部３４のストッパ部３４１に対する雄フック部７２Ｂの直立ストッパ部７２１Ｂの当接は解除されることとなり、雄フック部材７１Ｂを含む工具用バッテリＢのバッテリ収容スペース３１に対する相対移動の規制を解除することとなり、ケース本体３０に対して工具用バッテリＢを取り出すことができる状態となる。
【００３０】
ところで図７に示すように、ケース本体３０を形成する側壁のうち、身体対向側の装着側壁３５１に対して交差方向に延在する側壁は、左側壁３５３および右側壁３５４として設定されている。これら左側壁３５３および右側壁３５４は、互いに対称構成となるように略同一に構成される。
具体的には、図８の右側壁３５４により分かるように、この右側壁３５４には、下側（底側壁３５５側）に向かって取出し用切欠き部３６が設けられている。この取出し用切欠き部３６は、右側壁３５４の上部分に抉られる形状にて設けられている。このため、ケース本体３０に対して蓋カバー部４５を開けた場合には、この取出し用切欠き部３６によって、収容される工具用バッテリＢの外側の側面を工具利用者により指に接触把持可能に外部に露出させることができる。なお、特に図示していないが、左側壁３５３にも右側壁３５４と同様の取出し用切欠き部３６が設けられている。
また図６および図７に示すように、、ケース本体３０の装着側壁３５１には、フック部材３７が設けられている。このフック部材３７は、ケース本体３０に対して螺子締結することによりケース本体３０に取り付けられている。つまり、このフック部材３７は、締結される螺子３７１を弛めることにより、ケース本体３０に対して取外しすることができるようになっている。このフック部材３７は、広く利用されているフック形状を有して形成されるものであり、図１に示すように例えば工具利用者Ｐの腰部分に巻かれた腰ベルトＳに引っ掛けることにより、バッテリ装置本体２１を工具利用者Ｐの身体の腰位置に装着させることができる。
【００３１】
また図６に示すように、ケース本体３０の装着側壁３５１には、工具利用者Ｐの腰に巻かれる腰ベルトＳを通すためのベルト通し孔３８，３８が設けられている。このベルト通し孔３８，３８は、ケース本体３０の装着側壁３５１との一体成形によりケース本体３０に設けられている。なお、このベルト通し孔３８，３８は、バッテリ装置本体２１の左右対称位置にバランス良く離れて設けられている。
また図７に示すように、ケース本体３０の装着側壁３５１の外面となる装着側壁面３０１は、身体の胴回り方向に沿ってなす湾曲形状を有して形成されている。具体的には、装着側壁面３０１は、胴回り方向に沿って凹状（Ｒ形状）をなすように形成されている。
また図６に示すように、ケース本体３０の左側壁３５３および右側壁３５４には、工具利用者Ｐの肩に掛けられる肩掛けベルト（不図示）を繋ぐための引掛け部３９，３９が設けられている。この引掛け部３９，３９は、広く利用されている肩掛けベルトの引掛けフックが引っ掛けられる部分である。このため、この引掛け部３９，３９は、この不図示の肩掛けベルトの引掛けフックを適宜に引っ掛け易くした構造にて形成されている。
なお、バッテリ装置本体２１を工具利用者Ｐの身体に装着させるにあたって、ベルト通し孔３８，３８に腰ベルトを通したり、引掛け部３９，３９に肩掛けベルトを引掛けたりした場合には、締結される螺子を弛めることにより上記したフック部材３７をケース本体３０から取り外すようにしてもよい。
【００３２】
次に、蓋カバー部４５について説明する。なお、図１１は、ケース本体３０に蓋カバー部４５をヒンジ結合させた外観を示す側面図である。図１２は、図１１のＸＩＩ−ＸＩＩ断面矢視を示すヒンジ結合部分の断面図である。
蓋カバー部４５は、図８に示すように、ケース本体３０に対してヒンジ結合（図示符号Ｊ）させることにより、ケース本体３０に対して開閉可能に取り付けられている。具体的には、図１１および図１２に示すように、ケース本体３０および蓋カバー部４５の双方の外側壁３５２，４６２には、外側に向けて突出する支持凸部４０，４７が設けられている。これら支持凸部４０，４７同士は、１本の軸支ピン４１により相対的に回動可能に連結されている。このようなヒンジ結合は、バッテリ装置本体２１の左右方向にバランス良く２個所設けられている。このため、図８に示すように、ケース本体３０に対する蓋カバー部４５の開き方向は、工具利用者Ｐの身体に装着した状態の身体から離れていく方向にて設定されたものとなっている。
【００３３】
また図１１および図１２に示すように、このヒンジ結合部分（図示符号Ｊ）には、付勢部材としての巻きばね４２が設けられている。この巻きばね４２は、ケース本体３０に対して蓋カバー部４５の閉じる方向に蓋カバー部４５を付勢する部材である。このため、巻きばね４２は、ケース本体３０の支持凸部４０と蓋カバー部４５の支持凸部４７との両者の間に設けられており、これら支持凸部４０，４７の双方に巻きばね４２の両端部分をそれぞれ当てるものとなっている。これにより、巻きばね４２の弾性力を利用して、ケース本体３０に対して蓋カバー部４５を閉じる方向に付勢することができる。
ところで、ケース本体３０に対して蓋カバー部４５が閉じた場合には、上記したバッテリ収容スペース３１を雨滴等が入らないように閉塞したものとする。このため、蓋カバー部４５は、上記したケース本体３０の開口形状を全て覆う形状にて形成されている。つまり、蓋カバー部４５は、上記したバッテリ収容スペース３１に工具用バッテリＢを収容しつつ蓋することができる形状と、上記したケース本体３０の取出し用切欠き部３６，３６を覆うことができる形状と、を有して形成されている。
具体的には、図８の右側壁４６４により分かるように、この右側壁４６４には、下側に向かって取出し用切欠き部３６を覆うように被覆部４８が設けられている。この被覆部４８は、右側壁３５４に設けられた抉られる形状に対応して設けられている。このため、ケース本体３０に対して蓋カバー部４５を開けた場合には、この被覆部４８が無くなることによって、収容される工具用バッテリＢの外側の側面を取出し用切欠き部３６にて工具利用者により指に接触把持可能に外部に露出させることができる。なお、特に図示していないが、左側壁４６３にも右側壁４６４と同様の被覆部４８が設けられている。このため、上記した巻きばね４２によりケース本体３０に対して蓋カバー部４５が閉じられた場合には、バッテリ収容スペース３１に対して雨滴等が入ってしまわないように、このバッテリ収容スペース３１を閉塞した状態とすることができる。
【００３４】
ところで、上記したケース本体３０と蓋カバー部４５との間には、ケース本体３０に対する蓋カバー部４５の閉じ状態を保持あるいは保持解除とするロック機構５０が設けられている。このロック機構５０は、蓋カバー部４５の閉じ状態を保持するロック状態と、蓋カバー部４５の閉じ状態の保持を解除するロック解除状態との、いずれかの状態に状態切替可能に構成されているものであり、この状態切替は工具利用者の操作によって行われるようになっている。図１３は、ロック状態となっているロック機構５０の断面図である。図１４は、ロック解除状態となっているロック機構５０の断面図である。なお、これら図１３および図１４は、図７のＸＩＩＩ−ＸＩＩＩ断面矢視を示すものである。
図１３および図１４に示すように、ロック機構５０は、概略、嵌合雌部５１と、嵌合雄部５４を具備するスライダ５３と、スライダ５３を付勢する付勢ばね５７とを備える。
嵌合雌部５１は、図８に示すように、上記した蓋カバー部４５に対して設けられるものであり、この蓋カバー部４５の端縁近くに設けられている。この嵌合雌部５１は、蓋カバー部４５の成形時に蓋カバー部４５と一体化状態で形成される。この嵌合雌部５１は、図１３および図１４に示すように、中間部が凹状に形成されることにより、外周囲が隆起するかのように形成されている。
【００３５】
スライダ５３は、図６および図７に示すように、上記したケース本体３０に対して設けられるものであり、ケース本体３０の端縁近くに設けられている。このスライダ５３は、図１３および図１４に示すように、スライド移動することにより蓋カバー部４５の嵌合雌部５１に対して接近離間するように構成される。このため、図示においては見えないが、このスライダ５３の内部には、スライド移動を案内するガイドリブ（不図示）が設けられている。また、スライダ５３には、蓋カバー部４５の嵌合雌部５１に対して嵌合可能に形成される嵌合雄部５４が設けられている。このため、嵌合雄部５４は、スライダ５３の位置に応じて、嵌合雌部５１に対して嵌合状態あるいは非嵌合状態とすることができる。また、このスライダ５３の外部に露出している部分には、さらに外に突き出す形状にて形成される操作用凸部５５が設けられている。この操作用凸部５５は、工具利用者がスライダ５３をスライド移動させるにあたって工具利用者の指を引っ掛ける部分である。
付勢ばね５７は、図１３および図１４に示すように、いわゆるコイルスプリングであり、上記したスライダ５３の内部に配設されている。この付勢ばね５７は、スライダ５３が蓋カバー部４５の嵌合雌部５１に対して離間していくように、スライダ５３を付勢している。つまり、この付勢ばね５７は、上記した嵌合雄部５４が嵌合雌部５１に対して非嵌合となる方向にスライダ５３を付勢するものとなっている。このため、嵌合雄部５４が嵌合雌部５１に嵌合していない場合には、付勢ばね５７の付勢力によりスライダ５３は常に嵌合雌部５１から離れた位置（図１４に示す位置）に位置することとなる。この状態が、ケース本体３０に対する蓋カバー部４５の閉じ状態の保持を解除する蓋カバー部４５のロック解除状態となる。なお、付勢ばね５７の付勢力に抗してスライダ５３を嵌合雌部５１に接近させるようにスライド移動させ、嵌合雌部５１外周囲の隆起を乗り越えて凹状の嵌合雌部５１の中間部に嵌合雄部５４を嵌合させることとなる。この状態が、ケース本体３０に対する蓋カバー部４５の閉じ状態を保持する蓋カバー部４５のロック状態となる。
【００３６】
上記したように構成された実施の形態のバッテリ装置２０によれば、次のような作用効果を奏することができる。
すなわち上記したバッテリ装置２０によれば、工具用バッテリＢを収容するケース本体３０は、工具利用者の身体に装着可能に構成されているので、工具利用者の身体に装着可能に構成される身体装着式のバッテリ装置となっている。また、このケース本体３０を含むバッテリ収納ケース２２は、２つの着脱可能な工具用バッテリＢを収納し且つ収納された工具用バッテリＢと電気的に接続されるものであるので、汎用タイプの充電式バッテリが装着可能に構成されている。ここで、バッテリ収納ケース２２は、ケース本体３０と、ケース本体３０に対して開閉可能に取り付けられる蓋カバー部４５とを具備して構成されているので、蓋カバー部４５により内部に雨滴が入ってしまわないように雨滴の侵入を阻止することができる。さらに、上記したバッテリ装置２０によれば、係合解除操作部位７３Ｂの配設位置は、工具利用者の身体に装着した状態でケース本体３０に対して蓋カバー部４５を開けた場合に、身体に装着した状態の工具利用者にとって解除操作可能に外部に露出される位置に設定されているので、工具利用者の身体に装着させたままであっても工具利用者は係止解除操作部位７３Ｂを解除操作することができる。これによって、係止解除操作部位７３Ｂを解除操作することにより雌フック機構３３に対する雄フック機構７０Ｂの係合を解除し、電池切れした工具用バッテリＢを取外し、新たな充電完了した工具用バッテリＢに交換することができる。つまり、新たな工具用バッテリＢに簡単且つ確実に取り替えることができる。
【００３７】
また、上記したバッテリ装置２０によれば、工具用バッテリＢをケース本体３０に収容するにあたって、重力方向となる上から下に向けて収容することができるので、工具用バッテリＢの自重を利用してケース本体３０に収容し易いものとなる。また、ケース本体３０に対して蓋カバー部４５を開けた場合には、係合解除操作部位７３Ｂはケース本体３０の工具利用者にとって解除操作のし易い上側位置に位置して外部に露出されるので、工具利用者にとって解除操作のし易いものとなる。これによって、工具用バッテリＢを収容し易く、ケース本体３０に対して蓋カバー部４５を開けた場合の係合解除操作部位７３Ｂの解除操作性も向上させることができる。
また、上記したバッテリ装置２０によれば、ケース本体３０に対して蓋カバー部４５を開けた場合には、取出し用切欠き部３６の抉られる形状により、収容される工具用バッテリＢの側面を工具利用者の指に接触可能に外部に露出させるので、工具用バッテリＢの外部側の側面を指に接触把持することができる。これによって、ケース本体３０に対して蓋カバー部４５を開けて工具用バッテリＢを取り替えるにあたり、工具用バッテリＢの外部側の側面を指に接触把持してケース本体３０外に旧バッテリを取り出し易くすることができる。
また、上記したバッテリ装置２０によれば、ケース本体３０に対する蓋カバー部４５の開き方向は、工具利用者の身体に装着した状態の身体から離れていく方向にて設定されているので、工具利用者の身体と干渉されることなく、蓋カバー部４５をケース本体３０に対して開けることができる。これによって、ケース本体３０に対して蓋カバー部４５を開けた場合には、蓋カバー部４５を十分に開けることができて、より簡単且つ確実に新たな工具用バッテリＢに取り替えることができる。なお、上記した取出し用切欠き部３６のようにケース本体３０の側壁に下側に向かって抉られる形状を形成した場合には、ケース本体３０の抉られる形状に対応して設計される蓋カバー部４５の被覆部４８は、工具利用者の身体と干渉する問題が顕著となるので、このような開き方向を特定する構成は、より有効的に機能するものとなっている。
【００３８】
また、上記したバッテリ装置２０によれば、ケース本体３０と蓋カバー部４５との間にはケース本体３０に対して蓋カバー部４５の閉じる方向に蓋カバー部４５を付勢する巻きばね４２が設けられているので、工具利用者が蓋カバー部４５から手を離した場合には、自動的にケース本体３０に対して蓋カバー部４５を閉じることができる。これによって、蓋カバー部４５を閉じ状態に維持することができて、雨滴の侵入の阻止をより確実なものとすることができる。
また、上記したバッテリ装置２０によれば、ケース本体３０には、工具利用者の身体に装着させるように工具利用者の身体側に対して引っ掛けるフック部材３７が設けられているので、工具利用者の身体側にフック部材３７を引っ掛けるだけで簡単に工具利用者の身体に装着させることができる。また、このフック部材３７は、ケース本体３０に対して取外し可能に設けられているので、例えばバッテリ装置２０を肩掛けベルトにより吊るして使用する場合、不要になるフック部材３７を取り外して使用することができる。これによって、肩掛けベルトによって吊るす場合に、不要なフック部を取り外して身体への装着感を向上させることができる。
また、上記したバッテリ装置２０によれば、工具利用者の身体に装着された状態の身体側の側壁は、外面が身体の胴回り方向に沿ってなす湾曲形状を有して形成されているので、バッテリ装置２０を胴回り位置に位置させた場合に胴回りに対して当たる接触面積を、湾曲形状により広くすることができる。これによって、当たり面の拡大化により当たり圧力を分散して、身体に装着した際の感触を柔らかいものとすることができる。
【００３９】
また、上記したバッテリ装置２０によれば、ケース本体３０には工具利用者の腰に巻かれる腰ベルトを通すベルト通し孔３８，３８が設けられているので、ベルト通し孔３８，３８に通された腰ベルトを工具利用者の腰に巻くことにより、工具利用者の身体に装着させることができる。これによって、工具利用者の身体に装着させるにあたって、腰に巻きたい工具利用者のニーズに対応したものとできる。
また、上記したバッテリ装置２０によれば、ケース本体３０には工具利用者の肩に掛けられる肩掛けベルトを繋ぐ引掛け部３９，３９が設けられているので、引掛け部３９，３９に繋げられた肩掛けベルトを工具利用者の肩に掛けることにより、工具利用者の身体に装着させることができる。これによって、工具利用者の身体に装着させるにあたって、肩にかけたい工具利用者のニーズに対応したものとできる。
また、上記したバッテリ装置２０によれば、ケース本体３０に並列して収容される２つの工具用バッテリＢ同士の間は、少なくとも工具利用者の指が挿入できる幅Ｄを有して設定されているので、工具用バッテリＢを取り出す際に、工具用バッテリＢの内部側の側面を指に接触把持することができることとなる。これによって、ケース本体３０に対して蓋カバー部４５を開けて工具用バッテリＢを取り替えるにあたり、内部側の側面を指に接触把持しケース本体３０外に旧バッテリを取り出し易くすることができる。
また、上記したバッテリ装置２０によれば、ロック機構５０によりケース本体３０に対する蓋カバー部４５の閉じ状態を保持することができる。これによって、ケース本体３０に対する蓋カバー部４５の閉じ状態を強固なものとすることができる。また、上記したバッテリ装置２０によれば、ロック機構５０は、閉じ状態を保持するロック状態と、閉じ状態の保持を解除するロック解除状態とのいずれかの状態に、工具利用者の操作によって切替可能となるように構成されているので、蓋カバー部４５の閉じ状態の保持および保持解除を工具利用者の任意で選択することができる。これによって、蓋カバー部４５の閉じ状態を保持あるいは保持解除のいずれかで選択することができて、工具利用者にとって使い易いものとなる。
【００４０】
なお、本発明に係るバッテリ装置にあっては、上記した実施の形態に限定されるものではなく、次のように適宜個所を変更して構成するようにしてもよい。
例えば、上記した実施の形態にあっては、本発明に係る雌雄係合の係合手段として、雌フック機構３３に対する雄フック機構７０Ｂの係合を例示した。しかしながら、本発明に係る雌雄係合の係合手段としては、上記した実施の形態に限定されることなく、様々な雌雄の係合の構成を適用することができる。また、本発明に係る係合解除操作部位の態様としても、上記した実施の形態に限定されることなく、様々な係合解除操作の構成を適用することができる。また、本発明に係る『下側に向かって抉られる形状』としては、上記した実施の形態に限定されることなく、もっと深く抉り込んだ形状であってもよい。
【符号の説明】
【００４１】
１０  園芸工具（電動工具）
１１  園芸工具本体
１３  グリップ部
１５  ブレード部
１７  バッテリ装着部
２０  バッテリ装置
２１  バッテリ装置本体
２２  バッテリ収納ケース
３０  ケース本体
３０１  装着側壁面
３０５  底側壁面
３１  バッテリ収容スペース
３３  雌フック機構（雌雄係合の雌形係合手段）
３４  雌フック部
３４１  ストッパ部
３５１  装着側壁
３５２，４６２  外側壁
３５３，４６３  左側壁
３５４，４６４  右側壁
３５５  底側壁
３６  取出し用切欠き部（抉り形状）
３７  フック部材
３８  ベルト通し孔
３９  引掛け部
４０，４７  支持凸部
４２  巻きばね（付勢部材）
４１  軸支ピン
４５  蓋カバー部
４８  被覆部
５０  ロック機構
５１  嵌合雌部
５３  スライダ
５４  嵌合雄部
５５  操作用凸部
５７  付勢ばね
６０  アダプタ部
６１（６１Ｂ）  ハウジング
６２（６２Ｂ）  外部露出孔
６３（６３Ｂ）  外部露出孔
６５  コード連結部
６７（６７Ｂ）  端子部
７０（７０Ｂ）  雄フック機構（雌雄係合の雄形係合手段）
７１（７１Ｂ）  雄フック部材
７２（７２Ｂ）  雄フック部
７２１（７２１Ｂ）  直立ストッパ部
７２２（７２２Ｂ）  傾斜ガイド部
７３（７３Ｂ）  係合解除操作部位
７４（７４Ｂ）  付勢用脚部
７８（７８Ｂ）  付勢ばね
８０  コード部
Ｂ  工具用バッテリ（充電式電動工具用バッテリ）
Ｃ  電池セル
Ｄ  隙間幅
Ｊ  ヒンジ結合部分
Ｐ  工具利用者
Ｓ  ベルト
【図１】
2012048885.tif 000003
【図２】
2012048885.tif 000004
【図３】
2012048885.tif 000005
【図４】
2012048885.tif 000006
【図５】
2012048885.tif 000007
【図６】
2012048885.tif 000008
【図７】
2012048885.tif 000009
【図８】
2012048885.tif 000010
【図９】
2012048885.tif 000011
【図１０】
2012048885.tif 000012
【図１１】
2012048885.tif 000013
【図１２】
2012048885.tif 000014
【図１３】
2012048885.tif 000015
【図１４】
2012048885.tif 000016